(57)【要約】【課題】容器の開口部を塞ぐことなく容器の外観を装飾できる容器保持具を提供する。【解決手段】容器保持具１０で保持される容器１２は、草木Ｖを収容する容器本体１４と、容器本体１４の上端部に上方に開いて設けられた開口部１６と、開口部１６の外面に設けられた雄ネジ１８とを有している。容器保持具１０は、容器１２の雄ネジ１８にネジ嵌合されるネジ嵌合部２０と、容器１２の容器本体１４を覆う覆い部２２とを備えている。ネジ嵌合部２０は、第１線材２８を螺旋状に巻くことによって形成されており、覆い部２２は、第１線材２８に連続する第２線材３０を螺旋状に巻くことによって形成されている。【選択図】図３
2018158740.tif 000002
【特許請求の範囲】
【請求項１】
物品を収容する容器本体と、前記容器本体の上端部に上方に開いて設けられた開口部と、前記開口部の外面に設けられた雄ネジとを有する容器を保持する容器保持具であって、
第１線材を螺旋状に巻くことによって形成され、前記雄ネジにネジ嵌合されるネジ嵌合部と、
前記第１線材に連続する第２線材を螺旋状に巻くことによって形成され、前記容器本体を覆う覆い部とを備える、容器保持具。
【請求項２】
前記ネジ嵌合部の螺旋ピッチは、前記雄ネジのネジピッチよりも短くされており、
前記ネジ嵌合部は、前記雄ネジにネジ嵌合されたときに前記螺旋ピッチが前記ネジピッチと同じになるように変形され得る剛性で形成されている、請求項１に記載の容器保持具。
【請求項３】
前記覆い部の軸方向長さは、前記容器本体の上下方向長さよりも短くされており、
前記覆い部は、前記ネジ嵌合部が前記雄ネジにネジ嵌合されたときに自重で延びるように変形され得る剛性で形成されている、請求項１または２に記載の容器保持具。
【請求項４】
前記ネジ嵌合部の外径よりも大きい外径を有し、前記ネジ嵌合部の上方に設けられた上方延長部をさらに備え、
前記上方延長部は、前記第１線材に連続する第３線材を螺旋状に巻くことによって形成されている、請求項１ないし３のいずれか１項に記載の容器保持具。
【請求項５】
前記上方延長部は、前記ネジ嵌合部の上端部から上方に向けて外径が徐々に大きくなるように形成されている、請求項４に記載の容器保持具。
【請求項６】
前記覆い部は、前記ネジ嵌合部の下端部から下方に向けて外径が徐々に大きくなるように形成された拡径部を有している、請求項１ないし５のいずれか１項に記載の容器保持具。
【請求項７】
前記覆い部は、下方に向けて外径が徐々に小さくなるように前記拡径部の下方に形成された縮径部を有している、請求項６に記載の容器保持具。
【発明の詳細な説明】
【技術分野】
【０００１】
本発明は、物品を収容する容器本体と容器本体に設けられた開口部とを有する容器を保持する容器保持具に関する。
【背景技術】
【０００２】
特許文献１には、従来の容器保持具としての飲料容器保持具が記載されている。この飲料容器保持具は、飲料容器を運搬するときに飲料容器を保持するものであり、螺旋状スプリングからなる筒体と、筒体の下端部に設けられた底体と、筒体の上端部に設けられた蓋体とを有している。筒体の上端部には、開口部が設けられており、蓋体は、開口部の周縁部に回動可能に取り付けられている。
【０００３】
飲料容器保持具で飲料容器を保持する際には、まず、筒体の開口部から筒体の内部に飲料容器を収容する。続いて、筒体の上端が飲料容器の上端よりも上方に位置するように筒体を引き延ばし、その状態で蓋体を回動させることによって、筒体の開口部を蓋体で塞ぐ。その後、筒体を引き延ばす力を解除する。すると、筒体の復元力によって、蓋体が飲料容器の上部に押し付けられ、これにより飲料容器が保持される。飲料容器保持具で飲料容器を保持した状態では、飲料容器の開口部が蓋体で塞がれるとともに、筒体の螺旋形状によって飲料容器の外観が装飾される。
【先行技術文献】
【特許文献】
【０００４】
【特許文献１】特開２００７−４５４４４号公報
【０００５】
しかしながら、特許文献１に記載された飲料容器保持具では、蓋体で飲料容器の開口部を塞いでいたので、飲料容器の開口部から物品を出し入れすることができなかった。そのため、筒体の螺旋形状で装飾された飲料容器を花器や筆立てなどに用いることができなかった。
【発明の概要】
【０００６】
本発明は上記問題に対処するためになされたものであり、容器の開口部を塞ぐことなく容器の外観を装飾できる容器保持具を提供することを目的とする。
【０００７】
上記目的を達成するため、本発明に係る容器保持具の特徴は、物品を収容する容器本体と、前記容器本体の上端部に上方に開いて設けられた開口部と、前記開口部の外面に設けられた雄ネジとを有する容器を保持する容器保持具であって、第１線材を螺旋状に巻くことによって形成され、前記雄ネジにネジ嵌合されるネジ嵌合部と、前記第１線材に連続する第２線材を螺旋状に巻くことによって形成され、前記容器本体を覆う覆い部とを備えることにある。
【０００８】
この構成では、第１線材を螺旋状に巻くことによって形成されたネジ嵌合部が容器の雄ネジにネジ嵌合されるので、容器の開口部を塞ぐことなく、ネジ嵌合部および覆い部の螺旋形状によって容器の外観を装飾できる。また、ネジ嵌合部が容器の雄ネジにネジ嵌合されると、容器保持具と容器とが一体化されて、これらの全体重量が大きくなるので、容器を安定させること（すなわち、倒れ難くすること）ができる。さらに、ネジ嵌合部を構成する第１線材と覆い部を構成する第２線材とは互いに連続して形成されているので、１本の線材から容器保持具を簡単に形成できる。
【０００９】
本発明に係る容器保持具の他の特徴は、前記ネジ嵌合部の螺旋ピッチは、前記雄ネジのネジピッチよりも短くされており、前記ネジ嵌合部は、前記雄ネジにネジ嵌合されたときに前記螺旋ピッチが前記ネジピッチと同じになるように変形され得る剛性で形成されていることにある。
【００１０】
この構成では、ネジ嵌合部の螺旋ピッチが雄ネジのネジピッチと同じになるようにネジ嵌合部が変形されるので、１つの容器保持具を雄ネジのネジピッチが異なる複数種類の容器に共通に使用できる。
【００１１】
本発明に係る容器保持具の他の特徴は、前記覆い部の軸方向長さは、前記容器本体の上下方向長さよりも短くされており、前記覆い部は、前記ネジ嵌合部が前記雄ネジにネジ嵌合されたときに自重で延びるように変形され得る剛性で形成されていることにある。
【００１２】
この構成では、覆い部の収縮時における軸方向長さ（すなわち、中心線が延びる方向の長さ）が容器本体の上下方向長さよりも短くされており、覆い部は、自重で延びるように変形され得る剛性で形成されている（すなわち、初張力が小さい）ので、１つの容器保持具を容器本体１４の長さが異なる複数種類の容器１２に共通に使用できる。
【００１３】
また、覆い部の軸方向長さが容器本体の上下方向長さよりも短くされており、容器本体の下端部を覆い部から突出させることができるので、ネジ嵌合部を容器の雄ネジにネジ嵌合させるときには、容器本体の下端部を手で持ち易い。さらに、容器保持具をコンパクトに形成することが可能であり、容器保持具を搬送したり保管したりするときに容器保持具が占める空間を狭小化できる。
【００１４】
本発明に係る容器保持具の他の特徴は、前記ネジ嵌合部の外径よりも大きい外径を有し、前記ネジ嵌合部の上方に設けられた上方延長部をさらに備え、前記上方延長部は、前記第１線材に連続する第３線材を螺旋状に巻くことによって形成されていることにある。
【００１５】
この構成では、ネジ嵌合部の外径よりも大きい外径を有する上方延長部がネジ嵌合部の上方に設けられているので、上方延長部を手で握り易い。また、ネジ嵌合部を構成する第１線材と上方延長部を構成する第３線材とは互いに連続して形成されているので、１本の線材から容器保持具を簡単に形成できる。
【００１６】
本発明に係る容器保持具の他の特徴は、前記上方延長部は、前記ネジ嵌合部の上端部から上方に向けて外径が徐々に大きくなるように形成されていることにある。
【００１７】
この構成では、上方に向けて外径が徐々に大きくなるように形成された上方延長部を、容器の開口部に物品を導くガイドとして用いることができるので、物品を容器に挿入し易い。
【００１８】
本発明に係る容器保持具の他の特徴は、前記覆い部は、前記ネジ嵌合部の下端部から下方に向けて外径が徐々に大きくなるように形成された拡径部を有していることにある。
【００１９】
一般に、飲料水を収容するペットボトルやガラス瓶などの容器では、容器本体の外径が開口部の外径よりも大きくなっており、容器本体と開口部との間に段差が生じている。上記構成の容器保持具では、容器本体と開口部との間に生じた段差の周囲に覆い部の拡径部を配置することができるので、容器保持具を容器の外面に添わせてコンパクトに配置できる。
【００２０】
本発明に係る容器保持具の他の特徴は、前記覆い部は、下方に向けて外径が徐々に小さくなるように前記拡径部の下方に形成された縮径部を有していることにある。
【００２１】
飲料水を収容するペットボトルやガラス瓶などの容器では、容器本体の外径が下方に向けて徐々に小さくなっていることは稀である。上記構成の容器保持具は、下方に向けて外径が徐々に小さくなるように形成された縮径部を有しているので、通常の容器が持たない外観を呈することができる。
【図面の簡単な説明】
【００２２】
【図１】図１（Ａ）は、第１実施形態に係る容器保持具の構成を示す平面図であり、図１（Ｂ）は、第１実施形態に係る容器保持具の構成を示す正面図である。
【図２】第１実施形態に係る容器保持具の使用方法を示す正面図である。
【図３】第１実施形態に係る容器保持具の使用状態を示す正面図である。
【図４】図４（Ａ）は、第２実施形態に係る容器保持具の構成を示す正面図であり、図４（Ｂ）は、第２実施形態に係る容器保持具の使用状態を示す正面図である。
【図５】図５（Ａ）は、第３実施形態に係る容器保持具の構成を示す正面図であり、図５（Ｂ）は、第３実施形態に係る容器保持具の使用状態を示す正面図である。
【発明を実施するための形態】
【００２３】
以下、本発明に係る容器保持具の実施形態について図面を参照しながら説明する。
【００２４】
図１（Ａ）は、本発明の第１実施形態に係る容器保持具１０の構成を示す平面図であり、図１（Ｂ）は、容器保持具１０の構成を示す正面図である。図２は、容器保持具１０の使用方法を示す正面図であり、図３は、容器保持具１０の使用状態を示す正面図である。
【００２５】
図１（Ａ），（Ｂ）に示す容器保持具１０は、図２に示す容器１２を保持するとともに、容器１２の外観を装飾するものである。図２に示すように、容器１２は、物品を収容する容器本体１４と、容器本体１４の上端部に上方に開いて設けられた円筒状の開口部１６と、開口部１６の外面に設けられた雄ネジ１８とを有している。容器本体１４は、有底円筒状に形成されており、容器本体１４の外径は、開口部１６の外径よりも大きくされている。これにより、容器本体１４と開口部１６との間には段差Ｓが生じている。本実施形態の容器１２は、具体的にはペットボトルであり、図３に示すように、物品としての草木Ｖを収容する花器として用いられる。
【００２６】
なお、図２に示す容器１２の種類は特に限定されるものではなく、ペットボトルに代えて、他のプラスチック容器、ガラス瓶および金属製容器などが用いられてもよい。また、容器１２に収容される物品の種類は特に限定されるものではなく、図３に示す草木Ｖに代えて、アロマオイル、筆、台所用品（お玉、菜箸、箸など）などの物品が収容されてもよい。つまり、図２に示す容器１２は、アロマオイル容器、筆立て、台所用品（お玉、菜箸、箸など）立てなどとして用いられてもよい。
【００２７】
図１（Ａ），（Ｂ）に示すように、容器保持具１０は、容器１２の雄ネジ１８（図２）にネジ嵌合されるネジ嵌合部２０と、容器１２の容器本体１４（図２）を覆う覆い部２２と、人の手（図示省略）で握られる上方延長部２４とを備えている。
【００２８】
図１（Ｂ）に示すように、ネジ嵌合部２０は、ステンレス製の第１線材２８を螺旋状に巻くことによって形成されている。図２に示すように、ネジ嵌合部２０の螺旋ピッチＰ１は、雄ネジ１８のネジピッチＰ２よりも短くされている。ネジ嵌合部２０の剛性は、ネジ嵌合部２０が雄ネジ１８にネジ嵌合されたときに、螺旋ピッチＰ１がネジピッチＰ２と同じになるようにネジ嵌合部２０が変形され得るように（すなわち、初張力が小さく）設計されている。言い換えると、ネジ嵌合部２０は、雄ネジ１８にネジ嵌合されたときに、螺旋ピッチＰ１がネジピッチＰ２と同じになるように変形され得る剛性で形成されている。
【００２９】
図１（Ａ），（Ｂ）に示すネジ嵌合部２０の剛性は、第１線材２８の硬さや線径などで決まり、第１線材２８の線径が大きくなるほど大きくなる。本実施形態のネジ嵌合部２０は、雄ネジ１８（図２）にネジ嵌合されたときに弾性変形され、雄ネジ１８（図２）から離脱されたときに元の形状に復元される。また、ネジ嵌合部２０の軸方向の長さは、雄ネジ１８における少なくとも１つのネジ山と噛み合うことができる長さに形成されていればよいが、好ましくは雄ネジ１８が形成されている軸方向の長さ以上の長さに形成されるとよい。この場合、ネジ嵌合部２０は、開口部１６の軸方向の長さ以上の長さに形成されることでネジ嵌合部２０に雄ネジ１８をネジ嵌合させた際に開口部１６の側面をネジ嵌合部２０で覆うことができる。また、容器本体１４の深さが浅い場合においては、容器本体１４内に収容する草木Ｖなどを支持することができる。また、ネジ嵌合部２０は、軸方向の長さを開口部１６の２倍以上の長さに形成することにより、ネジ嵌合部２０に雄ネジ１８をネジ嵌合させる際に持ち手として機能させることができ、容器１２の取付取り外し作業を容易にすることができる。
【００３０】
図１（Ｂ）に示すように、覆い部２２は、第１線材２８の一方端に連続するステンレス製の第２線材３０を螺旋状に巻くことによって形成されている。本実施形態の覆い部２２は、ネジ嵌合部２０の下端部から下方に向けて外径が徐々に大きくなるように形成された拡径部３２と、拡径部３２の下端部から下方に向けて外径が徐々に小さくなるように形成された縮径部３４と、縮径部３４の下端部から下方に向けて一定の外径で形成された円筒部３６とを有している。これにより、覆い部２２は、図２に示す容器１２の外観とは異なるデザイン性に優れた外観を呈している。
【００３１】
図２に示すように、覆い部２２の収縮時における軸方向長さ（すなわち、中心線が延びる方向の長さ）Ｌ１は、容器本体１４の上下方向長さＬ２よりも短くされている。また、図３から分かるように、覆い部２２の剛性は、ネジ嵌合部２０が雄ネジ１８にネジ嵌合されたときに、覆い部２２が自重で延びるように（すなわち、初張力が小さく）設計されている。言い換えると、覆い部２２は、ネジ嵌合部２０が雄ネジ１８にネジ嵌合されたときに、自重で延びるように変形され得る剛性で形成されている。
【００３２】
図１（Ａ），（Ｂ）に示す覆い部２２の剛性は、第２線材３０の硬さや線径などで決まり、第２線材３０の線径が大きくなるほど大きくなる。本実施形態の覆い部２２は、コイルスプリングであり、ネジ嵌合部２０が雄ネジ１８（図２）にネジ嵌合されたときに、自重で延びるように弾性変形される。図３に示す容器１２および容器保持具１０が傾けられるなどによって、覆い部２２に対してこれを引き延ばす力（自重）が作用しなくなると、覆い部２２は元の形状に復元される。図３に示すように、容器保持具１０が装着された容器１２を支持台Ｑの上面に載置したとき、覆い部２２の下端に位置する開口部２２ａは、支持台Ｑの上面に接触する。なお、本実施形態において覆い部２２は、伸長した場合に容器本体１４よりも長く延びる軸方向長さに形成したが、容器本体１４の軸方向長さよりも短い長さに形成されていてもよい。これによれば、容器保持具１０が装着された容器１２を支持台Ｑの上面に載置した場合には、覆い部２２の下端に位置する開口部２２ａは、支持台Ｑの上面に接触することなく宙に浮いた状態で容器１２を装飾する。
【００３３】
図１（Ａ），（Ｂ）に示すように、上方延長部２４は、第１線材２８の他方端に連続するステンレス製の第３線材３８を螺旋状に巻くことによって、ネジ嵌合部２０の上方に設けられている。上方延長部２４は、ネジ嵌合部２０の外径よりも大きい外径を有しており、本実施形態では、ネジ嵌合部２０の上端部から上方に向けて外径が徐々に大きくなるように杯型に形成されている。なお、上方延長部２４の形状は、特に限定されるものではなく、上方に向けて外径が徐々に大きくなる杯型と一定の外径を有する円筒型とを組み合わせた形状にされてもよい。そして、この容器保持具１０は、外径を変化させながらコイルスプリングを成形することができるＮＣコイリングマシン、ＮＣフォーミングマシンまたはＮＣトーションマシンなどの数値制御式機械装置によって製造することができる。
【００３４】
図２に示すように、容器保持具１０で容器１２を保持する際には、覆い部２２の下端に設けられた開口部２２ａから覆い部２２の内部に容器１２を挿入し、ネジ嵌合部２０を容器１２の雄ネジ１８にネジ嵌合させる。このとき、覆い部２２の軸方向長さＬ１は、容器本体１４の上下方向長さＬ２よりも短くされているので、容器本体１４の下端部１４ａを覆い部２２の開口部２２ａから外側に突出させることが可能であり、容器本体１４の下端部１４ａを手で持ち易い。また、上方延長部２４は、ネジ嵌合部２０の外径よりも大きい外径を有しているので、上方延長部２４を手で持ち易い。
【００３５】
図３に示すように、容器保持具１０で容器１２を保持した状態では、容器１２の外観が容器保持具１０の螺旋形状で装飾される。容器保持具１０が装着された容器１２の容器本体１４に草木Ｖを挿入する際には、杯型に形成された上方延長部２４が草木Ｖを開口部１６に導くガイドとなる。
【００３６】
本実施形態によれば、上記構成により以下の各効果を奏することができる。すなわち、図１（Ａ），（Ｂ）に示すように、ネジ嵌合部２０、覆い部２２および上方延長部２４のそれぞれが螺旋状に形成されているので、これらの螺旋形状によって容器１２（図２）の外観を装飾できる。図３に示すように、螺旋状に形成されたネジ嵌合部２０が容器１２の雄ネジ１８にネジ嵌合されるので、容器１２の開口部１６が塞がれることはない。つまり、容器１２の開口部１６を塞ぐことなく、容器１２の外観を装飾できる。すなわち、容器保持具１０は、容器１２内に草木Ｖなどを挿さなくても容器１２の装飾具として用いることができる。
【００３７】
図３に示すように、ネジ嵌合部２０が容器１２の雄ネジ１８にネジ嵌合されると、容器保持具１０と容器１２とが一体化されて、これらの全体重量が大きくなるので、容器１２を安定させること（すなわち、倒れ難くすること）ができる。
【００３８】
図１（Ｂ）に示すように、ネジ嵌合部２０を構成する第１線材２８と、覆い部２２を構成する第２線材３０と、上方延長部２４を構成する第３線材３８とは、互いに連続して形成されているので、１本の線材から容器保持具１０を簡単に形成できる。
【００３９】
図２に示すネジ嵌合部２０は、雄ネジ１８にネジ嵌合されたときに、螺旋ピッチＰ１がネジピッチＰ２と同じになるように変形されるので、１つの容器保持具１０を雄ネジ１８のネジピッチＰ２が異なる複数種類の容器１２に共通に使用できる。
【００４０】
図２に示すように、覆い部２２の軸方向長さＬ１が容器本体１４の上下方向長さＬ２よりも短くされており、覆い部２２は、自重で延びるように変形され得る剛性で形成されている（すなわち、初張力が小さい）ので、１つの容器保持具１０を容器本体１４の長さＬ２が異なる複数種類の容器１２に共通に使用できる。
【００４１】
図２に示すように、覆い部２２の軸方向長さＬ１が短いことから、容器本体１４の下端部１４ａを覆い部２２の開口部２２ａから外側に突出させることが可能であり、ネジ嵌合部２０を容器１２の雄ネジ１８にネジ嵌合させるときには、容器本体１４の下端部１４ａを手で持ち易い。また、容器保持具１０をコンパクトに形成することができるので、容器保持具１０を搬送したり保管したりするときに容器保持具１０が占める空間を狭小化できる。
【００４２】
図２に示すように、ネジ嵌合部２０の外径よりも大きい外径を有する上方延長部２４がネジ嵌合部２０の上方に設けられているので、上方延長部２４を手で握り易い。したがって、容器本体１４の下端部１４ａを手で持ち易いことと相俟って、ネジ嵌合部２０を雄ネジ１８にネジ嵌合させる作業を簡単に行うことができる。
【００４３】
図３に示すように、上方延長部２４は、ネジ嵌合部２０の上端部から上方に向けて外径が徐々に大きくなるように杯型に形成されているので、上方延長部２４が草木Ｖを容器１２の開口部１６に導くガイドとなり、草木Ｖを容器１２に挿入し易い。
【００４４】
図３に示すように、覆い部２２は、下方に向けて外径が徐々に大きくなるように形成された拡径部３２を有しており、この拡径部３２を容器１２に設けられた段差Ｓの周囲に配置できるので、容器保持具１０を容器１２の外面に添わせてコンパクトに配置できる。
【００４５】
図３に示すように、覆い部２２は、下方に向けて外径が徐々に小さくなるように拡径部３２の下方に形成された縮径部３４を有しているので、容器１２の外観とは異なるデザイン性に優れた外観を呈することができる。
【００４６】
なお、本発明の実施にあたっては、上記実施形態に限定されず、本発明の目的を逸脱しない限りにおいて種々の変更が可能である。例えば、上記実施形態では、図１（Ａ），（Ｂ）に示す第１線材２８、第２線材３０および第３線材３８のそれぞれがステンレスで形成されているが、これらは、他の鉄系金属、非鉄系金属、合成樹脂および木材のいずれかで形成されてもよい。
【００４７】
図１（Ａ），（Ｂ）に示すように、上記実施形態では、ネジ嵌合部２０、覆い部２２および上方延長部２４が弾性変形可能に構成されているが、これらは、塑性変形可能に構成されてもよいし、変形不可能に構成されてもよい。覆い部２２が変形不可能に構成された場合には、支持台Ｑ（図３）の上面に当接される覆い部２２によって容器１２を支持できる。
【００４８】
図１（Ｂ）に示すように、上記実施形態では、覆い部２２の縮径部３４が拡径部３２に連続して設けられているが、縮径部３４は拡径部３２から離間して設けられてもよい。この場合、拡径部３２と縮径部３４との間には、一定の外径を有する円筒部（図示省略）が設けられてもよい。
【００４９】
図１（Ａ），（Ｂ）に示すように、上記実施形態では、ネジ嵌合部２０の上方に上方延長部２４が設けられるとともに、覆い部２２に縮径部３４が設けられているが、第２実施形態に係る容器保持具４０（図４（Ａ），（Ｂ））および第３実施形態に係る容器保持具６０（図５（Ａ），（Ｂ））のように、上方延長部２４および縮径部３４は省略されてもよい。
【００５０】
図４（Ａ）は、第２実施形態に係る容器保持具４０の構成を示す正面図であり、図４（Ｂ）は、容器保持具４０の使用状態を示す正面図である。なお、図４（Ｂ）では、容器保持具４０が装着された容器４２を、筆Ｗを立てる筆立てとして用いた状態を示している。
【００５１】
図４（Ａ），（Ｂ）に示すように、第２実施形態に係る容器保持具４０では、ネジ嵌合部４４の開口部４４ａが上方に開かれている。覆い部４６の拡径部４８は、その外径を急拡大させるように、軸方向長さを短くして形成されており、拡径部４８の下方には、一定の外径を有する円筒部５０が拡径部４８に連続して設けられている。
【００５２】
図５（Ａ）は、第３実施形態に係る容器保持具６０の構成を示す正面図であり、図５（Ｂ）は、容器保持具６０の使用状態を示す正面図ある。なお、図５（Ｂ）では、容器保持具６０が装着された容器６２を、アロマオイルを収容するアロマオイル容器として用いた状態を示している。図５（Ｂ）に示す容器６２の開口部６２ａには、アロマオイルを吸い上げる竹串Ｘが挿し込まれている。
【００５３】
図５（Ａ），（Ｂ）に示すように、第３実施形態に係る容器保持具６０では、ネジ嵌合部６４の開口部６４ａが上方に開かれている。覆い部６６の拡径部６８は、その外径を緩やかに拡大させるように、軸方向長さを長くして形成されており、拡径部６８の下方には、一定の外径を有する円筒部７０が拡径部６８に連続して設けられている。
【００５４】
これらの容器保持具４０，６０では、図１（Ａ），（Ｂ）に示す上方延長部２４および縮径部３４を省略しているので、よりコンパクトに形成できる。したがって、容器保持具４０，６０を搬送したり保管したりするときに容器保持具４０，６０が占める空間をより狭小化できる。
【符号の説明】
【００５５】
１０…容器保持具、１２…容器、１４…容器本体、１６…開口部、１８…雄ネジ、
２０…ネジ嵌合部、２２…覆い部、２４…上方延長部、２８…第１線材、３０…第２線材、３８…第３線材。
【図１】
2018158740.tif 000003
【図２】
2018158740.tif 000004
【図３】
2018158740.tif 000005
【図４】
2018158740.tif 000006
【図５】
2018158740.tif 000007